(57)【特許請求の範囲】
【請求項１】
複数の発光領域を有する発光手段と、
前記発光手段からの光を透過して画像を表示する表示手段と、
前記複数の発光領域の発光光量を個別に制御する発光制御手段と、
前記複数の発光領域のうち、選択された発光領域における光量を検出して、検出結果に基づいて、前記選択された発光領域の発光光量を調整する調整処理を実行する調整手段と、
前記調整手段が前記調整処理を実行する場合に、前記選択された発光領域に対応する前記表示手段の領域に、前記調整処理の進捗状況を示す情報を表示する表示制御手段と、を備え、
前記調整手段は、前記発光制御手段が前記選択された発光領域を発光させた場合の光量の検出結果と、前記発光制御手段が前記選択された発光領域の発光を停止させた場合の光量の検出結果と、を用いて、前記選択された発光領域の発光光量を調整することを特徴とする画像表示装置。
【請求項２】
調整指示に応じて、前記複数の発光領域から、前記調整処理の対象とする発光領域を順次選択する選択手段を更に備え、
前記表示制御手段は、前記選択された発光領域に対応する前記表示手段の領域に、前記複数の発光領域に対する調整処理の進捗状況を示す情報を表示することを特徴とする請求項１に記載の画像表示装置。
【請求項３】
前記調整手段は、前記選択された発光領域の発光光量を所定値に調整することを特徴とする請求項１または２に記載の画像表示装置。
【請求項４】
前記発光制御手段は、前記調整手段が前記調整処理を実行する場合に、前記複数の発光領域のうち、前記選択された発光領域でない発光領域の発光を停止するように制御することを特徴とする請求項１乃至３のいずれか一項に記載の画像表示装置。
【請求項５】
複数の発光領域を有する発光手段と、
前記発光手段からの光を透過して画像を表示する表示手段と、
前記複数の発光領域の発光を個別に制御する発光制御手段と、
前記複数の発光領域のうち、第１発光領域の光量を検出して、検出結果に基づいて前記第１発光領域の発光光量を調整する調整処理を実行する調整手段と、
前記複数の発光領域のうち、前記第１発光領域から所定の距離以上離れた第２発光領域を決定する決定手段と、
前記調整手段が前記調整処理を実行する場合に、前記第２発光領域に対応する前記表示手段の領域に、前記調整処理の進捗状況を示す情報を表示する表示制御手段と、
を備え、
前記調整手段が前記調整処理を実行する場合に、前記発光制御手段は、前記第１発光領域と前記第２発光領域とを発光させることを特徴とする画像表示装置。
【請求項６】
調整指示に応じて、前記複数の発光領域から、前記調整処理の対象とする第１発光領域を順次選択する選択手段を更に備え、
前記表示制御手段は、前記第２発光領域に対応する前記表示手段の領域に、前記複数の発光領域に対する調整処理の進捗状況を示す情報を表示することを特徴とする請求項５に記載の画像表示装置。
【請求項７】
前記決定手段は、前記第１発光領域と前記第２発光領域とを対応づけたテーブルを用いて、前記第２発光領域を決定することを特徴とする、請求項５または請求項６に記載の画像表示装置。
【請求項８】
前記発光制御手段は、前記第２発光領域の発光光量を、前記前記第１発光領域の発光光量よりも低く制御することを特徴とする請求項５乃至請求項７に記載の画像表示装置。
【請求項９】
前記発光制御手段は、前記第２発光領域と、前記第１発光領域との距離に応じて、前記第２発光領域の発光光量を制御することを特徴とする請求項５乃至８のいずれか一項に記載の画像表示装置。
【請求項１０】
前記発光制御手段は、前記調整手段が前記調整処理を実行している場合に、前記複数の発光領域のうち、前記第１発光領域と前記第２発光領域とでない発光領域の発光を停止するように制御することを特徴とする請求項５乃至９のいずれか一項に記載の画像表示装置。
【請求項１１】
前記表示制御手段は、文字及びプログレスバーの少なくとも一つを用いて、前記調整処理の進捗状況を示す情報を表示する制御を行うことを特徴とする請求項１乃至１０のいずれか一項に記載の画像表示装置。
【請求項１２】
前記複数の発光領域にそれぞれ設けられる複数の検出手段を更に備え、
各検出手段は、対応する発光領域の光量を検出し、
前記調整手段は、前記検出手段が検出した光量に基づいて、前記調整処理を実行することを特徴とする請求項１乃至１１のいずれか一項に記載の画像表示装置。
【請求項１３】
個別に発光光量を制御可能な複数の発光領域を有する発光手段と、前記発光手段からの光を透過して画像を表示する表示手段と、を備える画像表示装置の制御方法であって、
前記複数の発光領域の発光光量を個別に制御する発光制御工程と、
前記複数の発光領域のうち、選択された発光領域における光量を検出して、
検出結果に基づいて、前記選択された発光領域の発光光量を調整する調整処理を実行する調整工程と、前記調整工程において前記調整処理が実行される場合に、前記選択された発光領域に対応する前記表示手段の領域に、前記調整処理の進捗状況を示す情報を表示するように前記表示手段を制御する表示制御工程と、
を備え、
前記調整工程は、前記発光制御工程が前記選択された発光領域を発光させた場合の光量の検出結果と、前記発光制御工程が前記選択された発光領域の発光を停止させた場合の光量の検出結果と、を用いて、前記選択された発光領域の発光光量を調整することを特徴とする画像表示装置の制御方法。
【請求項１４】
個別に発光光量を制御可能な複数の発光領域を有する発光手段と、前記発光手段からの光を透過して画像を表示する表示手段と、を備える画像表示装置の制御方法であって、
前記複数の発光領域の発光光量を個別に制御する発光制御工程と、
前記複数の発光領域のうち、第１発光領域における光量を検出し、検出結果に基づいて、前記第１発光領域の発光光量を調整する調整処理を実行する調整工程と、
前記第１発光領域から所定の距離離れた第２発光領域を決定する決定工程と、
前記調整工程において前記調整処理が実行される場合に、前記第２発光領域に対応する前記表示手段の領域に、前記調整処理の進捗状況を示す情報を表示する表示制御手段と、
を備え、
前記調整工程において、前記調整処置が実行される場合に、前記発光制御工程は、前記第１発光領域と前記第２発光領域とを発光させることを特徴とする画像表示装置の制御方法。
【発明の詳細な説明】
【技術分野】
【０００１】
本発明は、複数の分割発光領域を有する発光部を備える画像表示装置及びその制御方法に関するものである。
【背景技術】
【０００２】
近年、発光ダイオード（ＬＥＤ：Ｌｉｇｈｔ  Ｅｍｉｔｔｉｎｇ  Ｄｉｏｄｅ）は、長寿命かつ低消費電力であることから、画像表示装置のバックライトの発光素子として使用されている。一定周期でＬＥＤに流す電流のＯＮ／ＯＦＦを繰り返す制御を行い、ＯＮ／ＯＦＦの比率やＬＥＤに流す電流値を変えることで、ＬＥＤの発光光量は制御することができる。
【０００３】
ＬＥＤには、個体差や経年劣化等によって発光特性が異なるという性質がある。複数のＬＥＤを画像表示装置の光源として使用する場合に、各ＬＥＤの発光光量がそれぞれ異なるため、ＬＥＤの発光光量にばらつきが生じる。そこで、特許文献１には、複数のＬＥＤからなるチップ毎の発光光量のばらつきを調整することが可能なバックライト装置が記載されている。以下、このようにバックライト装置等において、発光素子の発光光量を所定値に調整することを発光調整処理と称する。
【０００４】
一方、液晶プロジェクタにおいて、ランプの電源をオフにしてからも筺体内の熱を除去するために、ファンは運転を継続する。特許文献２には、ランプの電源をオフしてからあとどのくらいでファンの運転が終了するのかを示すために、ＬＥＤの発光色や発光状態を変えることで、ユーザにファンの運転が終了するまでの進捗状況を提示することが記載されている。
【先行技術文献】
【特許文献】
【０００５】
【特許文献１】特開２００７−２９４３８５号公報
【特許文献２】特開２００３−１２１９２９号公報
【発明の概要】
【発明が解決しようとする課題】
【０００６】
発光調整処理を行う際には、バックライトの発光素子の発光光量を調整するために、任意にバックライトの発光素子を点灯させる。発光光量を調整する発光素子を随時点灯させるが、該発光素子の調整に関係しないその他の発光素子は点灯しないことがある。調整する発光素子の発光光量のみを検出する必要がある場合には、該発光素子の調整に関係しない発光素子は点灯しないほうが、より正確な発光光量の調整が可能となる。
【０００７】
したがって、発光調整処理中のバックライトは、一部の発光素子しか点灯しないこともあるため、ＲＧＢの発光色が必要な通常の画像の表示は行えないことがある。また、バックライトの発光調整処理中は、調整する発光素子を順次変更すると発光素子の点灯領域及び消灯領域が時間と共に変化する。そのため、発光調整処理の進捗状況（発光調整処理がどの程度終了しているか等）を示す画像を表示した場合、バックライトが消灯している領域の画像は認識できないことがある。また、特許文献２のようにＬＥＤによって進捗状況を提示するためには、表示画面以外の箇所にＬＥＤを設ける必要がある上に、ＬＥＤの発光パターンと発光調整処理の進捗状況との対応を覚えておく必要があり、容易に進捗状況等の情報を把握することができない。
【０００８】
そこで本発明は、バックライトの発光調整処理中に、ユーザが容易に情報を把握できるように提示することを目的とする。
【課題を解決するための手段】
【０００９】
上記目的を達成するために本発明は、複数の発光領域を有する発光手段と、前記発光手段からの光を透過して画像を表示する表示手段と、前記複数の発光領域の発光光量を個別に制御する発光制御手段と、前記複数の発光領域のうち、選択された発光領域における光量を検出して、検出結果に基づいて、前記選択された発光領域の発光光量を調整する調整手段と、前記調整手段が前記調整処理を実行する場合に、前記選択された発光領域に対応する前記表示手段の領域に、前記調整処理の進捗状況を示す情報を表示する表示制御手段と、を備え、前記調整手段は、前記発光制御手段が前記選択された発光領域を発光させた場合の光量の検出結果と、前記発光制御手段が前記選択された発光領域の発光を停止させた場合の光量の検出結果と、を用いて、前記選択された発光領域の発光光量を調整することを特徴とする画像表示装置である。
【発明の効果】
【００１０】
以上より本発明によれば、バックライトの発光調整処理中に、ユーザが容易に情報を把握できるように提示することができる。
【図面の簡単な説明】
【００１１】
【図１】画像表示装置のブロック図である。
【図２】発光部を示す概念図である。
【図３】分割発光領域の構成を示す概念図である。
【図４】実施例１における、画像表示装置の動作を表わすフローチャートである。
【図５】実施例１における、調整対象の分割発光領域及び進捗情報を示す画像データの概念図である。
【図６】調整対象の分割発光領域の点灯順を示す概念図である。
【図７】外部光の影響を考慮した画像表示装置の動作を表わすフローチャートである。
【図８】進捗情報の表示例を示す概念図である。
【図９】実施例２における画像表示装置の動作を表わすフローチャートである。
【図１０】調整対象の分割発光領域に対応する進捗情報表示領域を示すテーブルである。
【図１１】実施例２における、調整対象の分割発光領域及び進捗情報を示す画像データの概念図である。
【発明を実施するための形態】
【００１２】
以下、添付図面を参照して、本発明の実施例を説明する。
【００１３】
（実施例１）
図１は、本実施例の画像表示装置１００のブロック図である。画像表示装置１００では、発光制御部１０１、進捗情報取得部１０２、調整部１０３、光検出部１０４、発光部１０５、画像入力部１０６、画像生成部１０７、表示制御部１０８、表示部１０９、記憶部１１０、操作受信部１１１及び制御部１１２がバス１１３を介して接続される。以上のように構成された画像表示装置１００の動作を以下で説明する。
【００１４】
発光制御部１０１は、発光部１０５の点灯及び消灯の制御と発光部１０５の発光光量の制御とを行う。発光部１０５は、表示部１０９の背面に配置されて表示部１０９のバックライトとして使用され、発光部１０５に対応した表示部１０９の表示領域に光を照射する。図２に示すように、発光部１０５は複数の分割発光領域２０１からなり、分割発光領域毎に発光可能である。発光制御部１０１は、分割発光領域毎に発光光量を調整する制御を行うことが可能である。発光制御部１０１は、発光部１０５の各分割発光領域の発光光量を調整する順序を決定する。発光光量の調整を行う分割発光領域の順序、及び発光光量の調整を行った（調整が完了した）分割発光領域を記憶部１１０に記憶させる制御も行う。本実施例において、発光部１０５は図２に示すように水平４×垂直３の計１２個の分割発光領域２０１（Ｄ１〜Ｄ１２）を有することとするが、特にこれに限られず、発光部１０５は複数の分割発光領域を有すればよい。
【００１５】
進捗情報取得部１０２は、発光部１０５の発光調整処理の進捗情報を取得する。進捗情報とは、発光部１０５の複数の分割発光領域２０１（Ｄ１〜Ｄ１２）のうち、発光光量の調整が完了した分割発光領域の割合を示す情報である。進捗情報の詳細な説明及び進捗情報の具体的な算出方法については後述する。
【００１６】
調整部１０３は、発光部１０５の発光光量を検出する光検出部１０４の検出結果に基づいて、発光部１０５の発光光量が所定値になるように補正値を求める。光検出部１０４は、発光部１０５を構成する各分割発光領域の発光光量を検出する。画像入力部１０６は、画像表示装置１００に接続されている不図示の外部画像入力装置から入力された画像データを受信する。画像生成部１０７は、表示部１０９に表示する画像データを生成する。
【００１７】
表示制御部１０８は、画像入力部１０６が受信した画像データや画像生成部１０７で生成された画像データ、記憶部１１０に記憶された画像データを、表示部１０９に表示する制御を行う。表示部１０９は、液晶パネル等を有し、発光部１０５からの光の透過率を変えることにより画像データを表示する。記憶部１１０は、発光制御部１０１が決定した発光光量の調整を行う分割発光領域の順序、及び発光光量の調整が完了した分割発光領域や、画像データ、画像表示装置１００を制御するプログラム等を記憶する。
【００１８】
操作受信部１１１は、不図示のキーボードやマウス等を用いたユーザからの操作指示を受信する。制御部１１２はＣＰＵ等を有し、記憶部１１０に記憶されたプログラムを実行することにより、画像表示装置１００内の各ブロックを制御することが可能である。
【００１９】
分割発光領域２０１の構成図を図３に示す。本実施例において発光部１０５の各分割発光領域２０１は、１つの赤色（Ｒ）ＬＥＤ、１つの緑色（Ｇ）ＬＥＤ、１つの青色（Ｂ）ＬＥＤからなる３色（ＲＧＢ）の発光素子の組が４組配置されているとする。なお、分割発光領域２０１の構成は上記に限られず、例えば、ＲＧＢのＬＥＤを１組有するものであってもよいし、１つの赤色ＬＥＤ、２つの緑色ＬＥＤ、１つの青色ＬＥＤの計４つの発光素子を１組として複数組配置してもよい。また、分割発光領域は、ＲＧＢのＬＥＤに代わって白色ＬＥＤで構成されるものであってもよい。
【００２０】
本実施例おいて、光検出部１０４は、図３に示すように発光部１０５の複数の分割発光領域２０１（Ｄ１〜Ｄ１２）に１つずつ配置されており、各分割発光領域２０１（Ｄ１〜Ｄ１２）の発光光量を検出できるとする。光検出部１０４はＲＧＢセンサであり、分割発光領域２０１のＲ、Ｇ、Ｂそれぞれの発光光量を測定できる位置に配置されている。
【００２１】
本実施例における画像表示装置１００の動作を、図４のフローチャートを用いて説明する。
【００２２】
操作受信部１１１が、発光部１０５の発光光量の調整指示を受信したことに応じて、ステップＳ４０１において発光制御部１０１は、発光調整処理の開始を示すフラグＦを制御部１１２から受信する。発光部１０５の発光調整処理は、ユーザによる発光光量の調整指示を操作受信部１１１が受信したことに応じて行ってもよいし、定期的に行ってもよい。発光部１０５の発光調整処理を行う度に、図４に示す処理を繰り返し行う。本実施例での発光部１０５の発光調整処理は、分割発光領域２０１（Ｄ１）から順次分割発光領域２０１（Ｄ１２）まで発光光量の調整を行うこととする。
【００２３】
次に、進捗情報取得部１０２は進捗情報を取得する。発光制御部１０１がフラグＦを受信してから発光光量の調整が完了した分割発光領域に関する情報に基づいて、進捗情報取得部１０２は進捗情報を取得する。進捗情報とは、発光部１０５の複数の分割発光領域のうち、発光光量の調整が完了した分割発光領域の割合を示す情報であり、発光部１０５の分割発光領域の個数、及び発光光量の調整が完了した分割発光領域の個数から得られる。例えば進捗情報は、発光部１０５の分割発光領域の個数ｍ、及び発光光量の調整が完了した分割発光領域の個数ｎを用いた、以下の式により得られる進捗度合いを含む。
進捗度合い［％］＝ｎ／ｍ×１００      （式１）
【００２４】
発光部１０５の分割発光領域の個数、及び発光光量の調整が完了した分割領域の個数は記憶部１１０に記憶されている。本実施例においては、図２に示すように分割発光領域が１２個であるからｍ＝１２である。分割発光領域２０１（Ｄ１）から順次発光光量の調整を行い、分割発光領域２０１（Ｄ６）の発光光量の調整が完了した後から、分割発光領域２０１（Ｄ７）の発光光量の調整が完了するまでの期間において、発光光量の調整が完了した分割発光領域は６個である。この期間において、ｎ＝６とすると進捗度合いは５０％となる。または上記期間において、発光光量の調整が完了した分割発光領域の個数に、発光光量の調整を実行している分割発光領域２０１（Ｄ７）を加えてｎ＝７としてもよい。進捗情報取得部１０２は、上記のように取得した進捗情報を画像生成部１０７に送信する。
【００２５】
ステップＳ４０３において画像生成部１０７は、進捗情報取得部１０２から取得した進捗情報を示す画像データを生成する。画像生成部１０７は、発光光量の調整を実行する（調整対象の）分割発光領域の情報を発光制御部１０１より取得し、該分割発光領域に対応する表示部の表示領域上に進捗情報が表示されるような画像データを生成する。ステップＳ４０４において表示制御部１０８は、ステップＳ４０３で生成された画像データを表示部１０９に出力する制御を行う。図５（Ａ）及び（Ｂ）に、調整対象となる分割発光領域２０１（Ｄ７）及び、画像生成部１０７で生成され表示部１０９に表示される画像データの具体例を示す。画像生成部１０７で生成される画像データは、調整対象となる分割発光領域に対応する表示部１０９の表示領域に進捗情報を示す画像を生成し、それ以外の領域にはミュート（黒）画像を生成する。
【００２６】
続いてステップＳ４０５において発光制御部１０１は、調整対象の分割発光領域の発光素子を点灯させ、調整対象の分割発光領域以外の分割発光領域の発光素子は発光を停止させる。ステップＳ４０６において光検出部１０４は、調整対象の分割発光領域の発光光量を検出する。ステップＳ４０７において調整部１０３は、光検出部１０４で検出された検出結果に基づいて、分割発光領域の発光光量が所定値になるように補正値を求め、発光制御部１０１は求められた補正値に基づいて分割発光領域の発光光量を調整する制御を行う。
【００２７】
分割発光領域にＲＧＢの発光素子が配置されている場合には、図６（Ａ）〜（Ｃ）に示すように、ステップＳ４０５において調整対象の分割発光領域２０１（Ｄ１）内のＲの発光素子、Ｇの発光素子、Ｂの発光素子を順次点灯させる。そしてステップＳ４０６において、各色の発光素子の発光光量を光検出部１０４で検出し、ステップＳ４０７において調整部１０３で補正値を求める。該分割発光領域内のＲの発光素子、Ｇの発光素子、Ｂの発光素子それぞれの発光光量の調整が完了したら、次の分割発光領域２０１（Ｄ２）を調整対象として順次発光光量の調整を行っていく。
【００２８】
ステップＳ４０８において発光制御部１０１は、調整対象の分割発光領域の発光光量の調整が完了したか否かを判定する。完了したらステップＳ４０９の処理へ進み、完了していない場合は、ステップＳ４０５へ戻る。ステップＳ４０９において発光制御部１０１は、発光部１０５の全ての分割発光領域２０１の発光光量の調整が完了したかどうかの判断を行う。発光光量の調整が完了していない分割発光領域がある場合には、調整対象の分割発光領域を、発光光量の調整が完了していない分割発光領域に変更し、ステップＳ４０２からの処理を、全ての分割発光領域２０１の発光光量の調整が完了するまで繰り返し行う。このようにして、全ての分割発光領域２０１の発光光量が所定値になるように調整され、発光光量のばらつきが調整される。
【００２９】
発光制御部１０１が全ての分割発光領域２０１の発光光量の調整が完了したと判断したことに応じて、ステップＳ４１１において画像生成部１０７は、発光部１０５の発光調整処理の完了を示す画像データを生成する。表示制御部１０８は生成された画像データを表示部１０９に表示するように制御する。発光調整処理の完了を示す画像データは、最後の発光光量の調整を行った分割発光領域に対応する表示部の表示領域上に、発光調整処理の完了を示すことが表示されるような画像データである。発光調整処理の完了を示す画像データを表示する際は、少なくとも発光部１０５のうち最後の発光光量の調整を行った分割発光領域の発光素子を点灯させる。また、発光調整処理の完了を示す画像データは、発光部１０５の複数の分割発光領域に対応する表示領域上に表示されるような画像データでも良く、その場合には、該複数の発光領域の発光素子を点灯させる。以上で、発光部１０５の発光調整処理は終了する。
【００３０】
上記実施例においては、光検出部１０４は、表示部１０９に画像データを表示させ、調整対象の分割発光領域の発光素子を点灯させた状態で、図４のステップＳ４０６において発光光量の検出を行った。表示部１０９に画像データを表示させた状態では、表示部１０９は光の透過率を変えて、発光部１０５からの光を透過させるようにするため、画像表示装置１００の外部光も表示部１０９を透過してくるため、光検出部１０４によって検出されることになる。よって光検出部１０４は、分割発光領域の発光光量の検出の際に、表示部１０９に画像データを表示させない（またはミュート（黒）画像を表示させている）場合と比べて、表示部１０９を通した画像表示装置１００の外部光の分だけ発光光量を多く検出している。よって、表示部１０９を通した画像表示装置１００の外部光の影響を除去するために、図７に示すようなフローで発光調整処理を行ってもよい。図４と同符号の処理ステップは、図４と同様の処理を行うステップである。
【００３１】
ステップＳ４０４において、表示制御部１０８が画像データを表示部に出力した後、ステップＳ７０１において光検出部１０４は、調整対象の分割発光領域の光量（検出値Ｌ０）を検出する。このように、表示制御部１０８により、進捗情報を示す画像データを表示するように表示部１０９が制御された状態での光検出部１０４の光量を検出する。このとき調整対象の分割発光領域を含む全ての分割発光領域の発光素子は発光を停止させている。
【００３２】
ステップＳ４０５において発光制御部１０１により、調整対象の分割発光領域の発光素子のみを点灯させた状態で、ステップＳ７０２において光検出部１０４は、調整対象の分割発光領域の発光光量（検出値Ｌ１）を検出する。ステップＳ７０３において調整部１０３は、ステップＳ７０２で検出した検出値Ｌ１からステップＳ７０１で検出した検出値Ｌ０を差し引いた値を用いて、調整対象の分割発光領域の発光光量が所定値になるように補正値を求める。
【００３３】
以上のように発光調整処理を行うことで、表示部に画像データを表示することによる、画像表示装置１００の外部光の影響を抑制することが可能となる。
【００３４】
図８に、画像生成部１０７が生成する画像データの、調整対象の分割発光領域に対応する表示部の表示領域部分の進捗情報の他の表示例を示す。画像生成部１０７が生成する進捗情報を示す画像データとして、図５（Ｂ）のように進捗情報を数字で表示する以外に、図８（Ａ）に示すような進捗情報をプログレスバーで表示してもよい。また、図８（Ｂ）に示すように、進捗情報から得られる、発光部１０５の発光調整処理が完了するまで（発光部１０５の全ての分割発光領域の発光光量の調整が完了するまで）に必要な（概算の）時間を合わせて表示してもよい。発光部１０５の発光調整処理が完了するまでに必要な時間は、１箇所の分割発光領域の発光光量の調整に必要な時間に、発光光量の調整が完了していない分割発光領域の個数を乗算することで算出できる。また、ある調整対象の分割発光領域の調整を開始した時を０％、調整が完了した時を１００％としたときに、該分割発光領域の発光光量の調整の進捗度合いを合わせて表示してもよい。
【００３５】
画像生成部１０７が生成する画像データは、ユーザが発光部１０５の発光調整処理の進捗を把握できる画像データであればよい。また、調整対象の分割発光領域に対応する表示部の表示領域上に表示する画像に、発光調整処理の進捗情報だけでなく、発光調整処理中にユーザに通知したい情報（発光調整処理中の異常発生等）を表示してもよい。
【００３６】
本実施例では、各分割発光領域内のＲの発光素子、Ｇの発光素子、Ｂの発光素子の順に発光光量を調整する場合について説明したが、各分割発光領域内のＲの発光素子の発光光量を全ての分割発光領域について調整した後に、Ｇ、Ｂの発光光量を調整してもよい。また、本実施例では調整対象の分割発光領域を、分割発光領域２０１（Ｄ１）から順次分割発光領域２０１（Ｄ１２）までとして説明したが、調整対象の分割発光領域の選択の仕方としてはこれに限らずランダム（例えばＤ２→Ｄ５→Ｄ６→…）であってもよい。
【００３７】
以上のように本実施例は、発光部の発光調整処理を行う際に、発光調整処理の進捗状況をユーザが容易に把握できるように提示することができる。
【００３８】
（実施例２）
本実施例では、発光部１０５の発光調整処理の進捗情報を、発光光量の調整を実行する（調整対象の）分割発光領域に対応する表示部の表示領域とは異なる表示領域に表示する場合について説明する。本実施例においても実施例１と同様に図１に示す画像表示装置１００のブロック図を用いて説明を行う。本実施例における画像表示装置１００の動作を、図９のフローチャートを用いて説明する。図４と同符号の処理ステップは、図４と同様の処理を行うステップである。
【００３９】
ステップＳ４０２において進捗情報取得部１０２が進捗情報を取得した後、ステップＳ９０１において発光制御部１０１は、発光部１０５における発光光量の調整を実行する（調整対象の）分割発光領域に基づいて進捗情報表示領域を決定する。調整対象の分割発光領域に対応する進捗情報表示領域は、図１０に示すように予め定められており、テーブルデータとして記憶部１１０に記憶されている。例えば、調整対象の分割発光領域が分割発光領域２０１（Ｄ９）の場合、進捗情報表示領域は分割発光領域２０１（Ｄ４）である。進捗情報表示領域は、調整対象の分割発光領域での発光光量の検出の際に影響が少なくなるように、調整対象の分割発光領域から所定以上離れた位置の分割発光領域とすることが望ましい。進捗情報表示領域は、少なくとも調整対象の分割発光領域に隣接していない分割発光領域とすることが望ましい。発光制御部１０１は、調整対象の分割発光領域の情報と共に進捗情報表示領域の情報を画像生成部１０７へ送信する。
【００４０】
ステップＳ９０２において画像生成部１０７は、進捗情報取得部１０２から進捗情報を取得し、進捗情報を示す画像データを生成する。画像生成部１０７は、発光制御部１０１から受信した進捗情報表示領域に対応した表示部の表示領域に進捗情報を示す画像を生成し、それ以外の領域にはミュート（黒）画像を生成する。例えば、調整対象の分割発光領域が分割発光領域２０１（Ｄ９）の場合、進捗情報が示す進捗度合いは、上記式１より６７％である。図１１（Ａ）に、発光部１０５の調整対象の分割発光領域及び該分割発光領域に対応する進捗情報表示領域、図１１（Ｂ）に、画像生成部１０７で生成される画像データの具体例を示す。
【００４１】
ステップＳ４０４において表示制御部１０８は、ステップＳ９０２で生成された画像データを表示部１０９に出力する制御を行う。ステップＳ９０３において発光制御部１０１は、調整対象の分割発光領域の発光素子、及び進捗情報表示領域の発光素子を点灯させる。調整対象の分割発光領域においては、実施例１と同様に発光光量の調整を行う。このように、調整対象の分割発光領域の発光光量の調整を行っている間、進捗情報表示領域に対応する表示部の表示領域上に、発光部１０５の発光調整処理の進捗情報を表示することが可能となる。
【００４２】
進捗情報表示領域の発光素子は、調整対象の分割発光領域の発光光量の検出に影響を与えないように発光光量を抑制することが好ましい。進捗情報表示領域の発光光量を、調整対象の分割発光領域と進捗情報表示領域との距離に応じて予め設定したものを、図１０のテーブルと共に記憶部１１０に記憶させておいてもよい。図１０では、分割発光領域２０１（Ｄ１）と分割発光領域２０１（Ｄ２）の進捗情報表示領域が、分割発光領域２０１（Ｄ１２）に設定され、分割発光領域２０１（Ｄ１）及び分割発光領域２０１（Ｄ２）の発光調整処理中に進捗情報を表示する領域が変化しない。実施例１では、調整対象の分割発光領域の変化と共に、進捗情報の表示領域の位置も変化したが、実施例２では図１０のように設定することで、進捗情報の表示領域の位置の変化を抑制することが可能となる。また、本実施例では、進捗情報表示領域を１つの分割発光領域としたが、複数の隣接した分割発光領域（例えば、調整対象の分割発光領域Ｄ１に対して、進捗情報表示領域をＤ１１及びＤ１２）としてもよい。また、進捗情報表示領域に対応する表示部の表示領域上に、発光調整処理の進捗情報でなく、発光調整処理中にユーザに通知したい情報（発光調整処理中の異常発生等）を表示してもよい。
【００４３】
本実施例では、発光部１０５が図２に示すように水平４×垂直３の計１２個の分割発光領域を有することとしたが、例えば水平２×垂直２の分割発光領域２０１（Ｄ１〜Ｄ４）の計４個の分割発光領域でも本発明を適用できる。発光部１０５の左上に位置する分割発光領域御２０１（Ｄ１）が調整対象の分割発光領域となる場合には、分割発光領域御２０１（Ｄ１）に対して斜め方向（右下方向）に位置する分割発光領域２０１（Ｄ４）を進捗情報表示領域とする。調整対象の分割発光領域の発光光量の検出に影響を与えないように進捗情報表示領域の発光光量を抑制することが可能であれば、進捗情報表示領域は、調整対象の分割発光領域に隣接する分割発光領域でもよい。
【００４４】
以上のように本実施例は、発光部の発光調整処理を行う際に、発光調整処理の進捗情報を、分割発光領域の発光光量の調整への影響を抑えて表示部に表示することが可能となり、発光調整処理の進捗状況をユーザが容易に把握できるように提示することができる。
【符号の説明】
【００４５】
１００  画像表示装置
１０１  発光制御部
１０２  進捗情報取得部
１０３  調整部
１０４  光検出部
１０５  発光部
１０７  画像生成部
１０８  表示制御部
１０９  表示部
１１０  記憶部
１１１  操作受信部
１１２  制御部
２０１  分割発光領域
【図１】
0005932381.tif 000002
【図２】
0005932381.tif 000003
【図３】
0005932381.tif 000004
【図４】
0005932381.tif 000005
【図５】
0005932381.tif 000006
【図６】
0005932381.tif 000007
【図７】
0005932381.tif 000008
【図８】
0005932381.tif 000009
【図９】
0005932381.tif 000010
【図１０】
0005932381.tif 000011
【図１１】
0005932381.tif 000012